【事件の表示】
　特願２００７−１９１９５９「再生装置」拒絶査定不服審判事件〔平成１９年１１月２９日出願公開、特開２００７−３１１０２０〕について、次のとおり審決する。
【結　論】
　本件審判の請求は、成り立たない。
【理　由】
第１　手続の経緯
　本件審判の請求に係る特許出願（以下「本願」という。）は、平成１６年６月２４日に出願された特願２００４−１８５７６０号の一部を平成１９年７月２４日に新たな特許出願としたものであって、平成２０年１月２４日付け拒絶理由通知に対して、同年３月３１日付けで手続補正がされたが、同年４月１４日付けで拒絶査定がされ、これに対し、同年５月２６日付けで拒絶査定不服審判が請求されるとともに、同年６月１１日付けで手続補正がされたものである。
　
第２　平成２０年６月１１日付け手続補正についての補正却下の決定
［補正却下の決定の結論］
　平成２０年６月１１日付けの手続補正を却下する。
　
［理　由］
１．本件補正
　平成２０年６月１１日付けの手続補正（以下「本件補正」という。）は、特許請求の範囲及び明細書についてするもので、特許請求の範囲については、本件補正前に
　
（ａ）「【請求項１】
　楽曲をランダムに選択して再生可能な再生装置であって、
　ランダム再生中の楽曲に関するカテゴリー分けされた情報を表示する表示手段と、
　該表示手段により表示された情報を選択可能な選択手段と、
　該選択手段により選択された情報に基づいて、楽曲の選択が可能な選曲手段と、
　該選曲手段により選曲された楽曲を再生可能な再生手段とを備え、
　該再生手段は、前記選択手段によって情報が選択されない場合、ランダム再生を継続するものであることを特徴とする再生装置。
　　【請求項２】
　前記選曲手段は、前記選択手段により選択された情報と同じ情報の楽曲を選択するものであることを特徴とする請求項１記載の再生装置。」
　
とあったものを、
　
（ｂ）「【請求項１】
　楽曲をランダムに選択して再生可能な再生装置であって、
　楽曲１曲すべてではなく、その一部分だけを再生するランダム再生中に、再生中の楽曲に関するカテゴリー分けされた情報を表示する表示手段と、
　該表示手段により表示された情報を選択可能な選択手段と、
　該選択手段により選択された情報を選択条件として楽曲の選択が可能な選曲手段と、
　前記ランダム再生中に、前記選択手段による情報の選択が行われ、前記選択手段により選択された情報を選択条件として、前記選曲手段による楽曲の選択が行われた場合は、前記ランダム再生を終了して、前記選曲手段により選択された楽曲を再生し、
　前記ランダム再生中に、前記選択手段による情報の選択が行われない場合は、前記ランダム再生を継続する再生手段とを備えていることを特徴とする再生装置。」
　
としようとするものである。
　
　本件補正は、次の補正事項を含む。（なお、下線は当審で付与した。）
（ア）請求項２を削除する補正事項。
　
（イ）補正前の請求項１に係る発明が備える「ランダム再生中の楽曲」について、「
楽曲１曲すべてではなく、その一部分だけを再生する
に、再生中
　
（ウ）補正前の請求項１に係る発明が備える「該選択手段により選択された情報に基づいて、楽曲の選択が可能な選曲手段」について、「該選択手段により選択された情報
を選択条件として
　
（エ）補正前の請求項１に係る発明が備える「該選曲手段により選曲された楽曲を再生可能な」について、「
前記ランダム再生中に、前記選択手段による情報の選択が行われ、前記選択手段により選択された情報を選択条件として、前記選曲手段による楽曲の選択が行われた場合は、前記ランダム再生を終了して、
し、
　
（オ）補正前の請求項１に係る発明が備える
「前記選択手段によって情報が選択されない場合、ランダム再生を継続する」
について、
「
前記ランダム再生中に、
は、前記
と限定する補正事項。
　
（カ）補正前の請求項１に係る発明が備える
「再生手段とを備え、
　該再生手段は、前記選択手段によって情報が選択されない場合、ランダム再生を継続するものである」
について、
「前記選択手段による情報の選択が行われない場合は、前記ランダム再生を継続する再生手段とを備えている」
と記載を整理する補正事項。
　
　請求項１についての補正事項（イ）ないし（オ）は、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正における特許請求の範囲の請求項１に記載されている事項により特定される発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定する要件を満たすか）について、以下に検討する。
　
２．引用例
（１）原査定の拒絶の理由に引用され、本願出願前に頒布された刊行物である欧州特許出願公開第１４１８６７７号明細書（以下「引用例１」という。）には、図面とともに次の事項が記載されている。また、その訳文は、引用例１とパテントファミリーの関係にある特開２００４−２６１５０号公報に基づいて作成した。（なお、下線は当審で付与した。）
　
ア．“[0006] In general, in one aspect, the invention features a 
method that includes providing a user interface for controlling an 
audio system in a vehicle, the user interface exposing available 
features that provide and/or receive information concerning 
operation of the audio system, and altering the availability of at 
least one of the features depending on a motion state of the 
vehicle.”
訳文：「全体として１つの態様において、本発明は、車両用オーディオシステムを制御するためのユーザインターフェースを準備する段階と、車両の走行状態に応じて少なくとも１つの機能の利用可能性を変更する段階とを含む方法であって、ユーザインターフェースは、オーディオシステムの操作に関連する情報を送信及び／又は受信する利用可能な機能を顕示することを特徴とする方法である。」（段落【０００６】）
　
イ．“
Overview
system 10 for selecting items based on user preferences, the items 
are 
pieces of music (tracks) that are part of a supply of available tracks 12
訳文：「概要
図３３に示すように、ユーザの好みに基づいて項目を選択するためのシステム１０の一例において、項目は、利用可能な
トラック１２の供給物の一部である一篇の音楽（トラック）
　
ウ．“[0081] 
The supply of available tracks may be stored in a mass storage device so that they are available locally as needed. The
storage device could include a hard disk
drive), a CD-RW drive, a tape recorder, a video recorder, a memory 
device, or any other storage device that can hold multiple items for
performance to a user.”
訳文：「
利用可能なトラック供給物は、必要に応じて局所で利用できるように大容量記憶装置に記憶することができる。記憶装置としては、ハードディスク
を挙げることができる
　
エ．“[0082] 
In the system
tracks are played for a user by a track player 16
訳文：「図３３に示す
システムにおいて、トラックは、トラック再生装置１６によってユーザに対して再生される
　
オ．“[0102] 
When the system plays tracks from its hard disk,
where no external data is needed, 
it may operate in one of the
following modes
　
(1) 
an automatic selection mode
the system plays a selection taken from all tracks available to the
system.
（中略）
(2) 
a tracks mode
tracks, for instance, only those tracks listed in a given preset 
defined by the user, or all tracks on a particular CD or album.
（中略）
(3) a bins mode. In this mode, each preset (represented by a user 
interface object such as a keypad button on a control panel) 
contains one or more CDs. The system will play tracks from any CD 
the user has added to the current preset.
（中略）
(4) 
a Virtual CD Changer mode
except that each preset represents only a single CD. Thus, the user 
may press a button on the keypad 1805 to select a CD to play.
（中略）
(5) 
a search mode
scroll through displayed lists of the available content sorted by 
disc number, artist, or other information that may be available. 
The user may select for playback an entire disc, an artist, a genre,
or any combination. ”
訳文：「システムが、
ハードディスクからのトラックを再生する場合
システムは次のモードの１つで作動する
（１）
自動選択モード
（中略）
（２）
トラックモード
(中略)
（３）
保管（ｂｉｎ）モード
（中略）
（４）
仮想ＣＤチェンジャモード
（中略）
（５）
検索モード
　検索モードにおいて、ユーザはディスク番号、アーチスト、又は利用可能な他の情報の順番で分類された、利用可能なコンテンツの表示リストをスクロールできる。ユーザは、全体のディスク、アーチスト、ジャンル、又はそれらの任意の組み合せを選択して再生できる。」
　
カ．“[0103] Playback actually takes place in tracks mode; search 
mode merely sets up a special playlist for playback by tracks 
mode.”
訳文：「実際には、再生はトラックモードで行われ、検索モードは、トラックモードで再生するための特別な再生リストを単に設定するだけである。」（段落【０１１０】）
　
キ．“[0105] When the user presses search 1812 (and makes a 
selection from the search screen), playlist 1807, the system 
switches 2009, 2010 from automatic selection mode 2001 or changer 
mode 2003 to tracks mode 2002.（中略）
If the search button was
pressed, the system sets up a playlist that represents the search
results. If playlist was pressed, the system plays the tracks in
the playlist
訳文：「ユーザが「検索」１８１２を押し（及び検索画面から選択し）、「再生リスト」１８０７を押すと、システムは自動選択モード２００１又はチェンジャモード２００３からトラックモード２００２に切り替わる（２００９、２０１０）。（中略）
「検索」ボタンが押されると、システムは検索結果を表示する再生リストを設定する。「再生リスト」が押されると、システムは再生リスト内のトラックを再生する
　
ク．“[0120](中略) 
The user may enter search mode by pressing the
search button 1812
訳文：「
ユーザは検索ボタン１８１２を押すことによって検索を実行できる
　
ケ．“
Display
[0128] In embodiments that provide feedback to the user 
using an
on-screen display, when the system is playing from stored tracks,
the system may display information about the currently-playing
track, as depicted in figure 26. The system may display the name of
current album 2601; the title of the current track 2602; the name
of the artist 2603; the genre 2604
track 2605; which user station is currently playing 2606 (see User 
stations and presets); and what the source of the track is 2607.
[0129] 
In search mode,
display a menu permitting the user to search by genre 904, artist 
903, track 902, or album 901. The system may display the scope of 
the current search results 905, which could initially be the entire 
set of stored tracks. In some examples,
 the initial scope of the
search is based on the currently playing track. The user can then
easily select similar tracks, for instance, by the same artist, or
on the same album, or in the same genre, relatively quickly
訳文：「表示部
　
画面上表示部を使用して
システムが、記憶されたトラックから再生中である場合、図２６に示すように、システムは、現在再生中のトラックに関する情報を表示することができる。システムは、現在のアルバムの名前２６０１、現在のトラックのタイトル２６０２、アーチストの名前２６０３、ジャンル２６０４
を表示する
　
検索モードにおいて、
検索の最初の範囲は、現在再生中のトラックに基づく。次に、ユーザは、例えば同じアーチストによる、又は同じアルバム上の、又は同じジャンルの類似のトラックを比較的迅速に容易に選択できる
　
　ここで、上記キの“playlist 1807”（訳文：「「再生リスト」１８０７」）は、Figure 18からすると、再生リストボタンを指すと解される。
　
　上記摘示事項を、図面とともに総合整理すると、引用例１には次の発明（以下、「引用発明１」という。）が記載されているものと認める。
「トラックをユーザに対して再生するトラック再生装置を備えたシステムであって、
　トラック（“tracks”）を記憶するハードディスクと、
　記憶されたトラックから再生中である場合、現在のアルバムの名前、現在のトラックのタイトル、アーチストの名前、ジャンルを表示する表示部と、
　検索ボタンと、
　再生リストボタンと、
を備え、
　トラックは音楽トラックであり、
　ハードディスクからのトラックを再生する場合、自動選択モード、トラックモード、保管（ｂｉｎ）モード、仮想ＣＤチェンジャモード、又は、検索モードで作動し、
　検索モードは、現在再生中のトラックに基づき、同じアーチストによる、又は同じアルバム上の、又は同じジャンルの類似のトラックを比較的迅速に容易に選択でき、
　検索ボタンを押すことによって検索を実行でき、検索結果を表示する再生リストを設定し、再生リストボタンが押されると、再生リスト内のトラックを再生する
システム。」
　
（２）原査定の拒絶の理由に引用され、本願出願前に頒布された刊行物である特開２００３−５１７５３号公報（以下「引用例２」という。）には、図面とともに次の事項が記載されている。（なお、下線は当審で付与した。）
　
コ．「【０００１】
【発明の属する技術分野】
本発明はデジタル放送受信機に係り
【０００２】
【従来の技術】近年、放送のデジタル化技術の進歩により多種多様なチャンネルによる放送がデジタル放送により可能になった。このような技術の進歩により、従来の放送形態そのものが大きく変化することになり、これに伴いユーザーは、様々な種別のチャンネルの中から所望のチャネルを選局できるようになる。そして、衛星デジタル放送では衛星と地上局より同じ放送を送信し、受信機側で受信状態の良好な方を随時選択して受信するようになっている。更に、デジタル放送では付加情報として放送中の曲のタイトルやアーティスト名が付加されており、それらの情報を表示することにより現在放送中の曲に関する情報を通知することが可能になっている。
【０００３】
【発明が解決しようとする課題】しかしながら、ユーザーは現在視聴中のチャンネルと同じような内容の放送をしているチャンネルを知りたいと思っても、どこのチャンネルで放送しているか分からないため、現在視聴中のチャンネルと同じような内容の放送をしているチャンネルを知るためには、全チャンネルを受信して視聴するか、番組表から各チャンネルの放送内容を調べなければならず不便であった。以上から、本発明の目的は現在視聴中のチャンネルと同じような内容の放送をしているチャンネルを検索し、ユーザーに通知するようにしたデジタル放送受信機を提供することである。
【０００４】
【課題を解決するための手段】上記課題は、本発明によれば、複数のチャンネルを含むデジタル放送を受信し、受信したデジタル放送に含まれる
付加情報のうち少なくとも一つの情報が同一な他のチャンネルを検索
【０００５】
【発明の実施の形態】（Ａ）本発明の概略説明
図１は本発明の概略説明図であり、現在視聴しているチャンネルと同様なカテゴリーの放送をしているチャンネルの検索をユーザーが指示した場合の例である。図中、ＤＲはデジタル放送受信機本体、１０は現在視聴しているチャンネルと同じカテゴリーの放送をしているチャンネルの検索の指示や、ボリューム、好みのチャンネルをプリセットするプリセットキー等を含む操作部、１１は表示部であり、現在視聴しているチャンネルの情報を表示する領域であるＮＣＩと、現在視聴しているチャンネルと同様なカテゴリーの放送をしているチャンネルが検索された場合にこの検索されたチャンネルの情報を表示する領域であるＳＣＩを含んでいる。」
　
サ．「【００１２】（ｂ）本発明のデジタル放送のデータ構成
図３は本発明の実施例におけるデジタル放送のデータ構成の一例を示す図である。図に示すように、複数のチャンネルが１つのデジタル放送信号の中に多重化され、所定のフレーム単位で送信されている。
１つのチャンネルは、音楽番組であれば音楽データと番組付加情報とからなり、番組付加情報には、番組の名前を示す番組名、現在放送中の番組の種別や現在放送中の曲の種別を示すカテゴリー、現在放送されている曲の名前を示すソングタイトル、現在放送されている曲の演奏者を示すアーティスト名、現在放送されている曲が収録されているアルバムを示すアルバム名、その他の番組に関する情報を示すコメント等のデータが含まれている
【００１３】（ｃ）メモリの記憶内容
図４は本発明の実施例におけるメモリの記憶内容の説明図である。ユーザーが現在視聴しているチャンネルと同様なカテゴリーの放送をしているチャンネルの検索を指示したとき、現在視聴中のチャンネルの付加情報よりカテゴリーを取得し、取得したカテゴリーと同じカテゴリーのチャンネルを検索し、検索されたチャンネルで放送中の番組の付加情報、例えばチャンネル番号、番組名、カテゴリー、ソングタイトル、アーティスト名を図に示すように記憶する。そして、記憶内容は各チャンネルの放送内容が変わる都度更新される。例えば、図４に示したチャンネルＮｏ．０２５で放送中の曲が変わった場合にはその曲のソングタイトルに更新される。
【００１４】（ｄ）本発明のフローチャート
図５は本発明のフローチャートであり、現在視聴しているチャンネルと同じカテゴリーの放送をしているチャンネルの検索をユーザーが指示した場合の例である。まず、システムコントローラ９ａ（図２）が操作部１０を用いて図１に示した
表示部１１中の現在視聴しているチャンネルの情報を表示する領域ＮＣＩ中にあるＣａｔｅｇｏｒｙが選択されたか否かを判定し
Ｃａｔｅｇｏｒｙが選択された場合は、
検索部９ｂが現在視聴しているチャンネルと同じカテゴリーのチャンネルを検索する
【００１５】次にステップ１０２において検索した結果、同じカテゴリーのチャンネルがあったか否かをシステムコントローラ9ａが判定し（ステップ１０３）、同じカテゴリーのチャンネルがあった場合は、検索されたチャンネルの情報、例えば番組名やソングタイトルを図４に示すようにメモリ９ｃに記憶する（ステップ１０４）。一方、ステップ１０３において同じカテゴリーのチャンネルが無いと判定された場合は同じカテゴリーが無い旨の表示、例えば「Ｎｏｔ  Ｆｏｕｎｄ」と表示部１１中のＳＣＩ（図１）に表示する（ステップ１０５）。
【００１６】ついで、ステップ１０４においてメモリ９ｃに記憶したチャンネルの情報、例えば番組名をシステムコントローラ9ａがリスト化し、表示制御部９ｄを介して表示部１１中のＳＣＩ（図１）に表示する（ステップ１０６）。」
　
シ．「【００２０】（Ｃ）本発明の他の実施例
上記実施例では現在視聴中のチャンネルと同じような内容の放送として、現在視聴中のチャンネルと同じカテゴリーの放送を検索して表示したが、図３に示したようなデジタル放送のデータ構成に含まれる番組付加情報中より
カテゴリー以外の他の情報、例えば、アーティスト名を用いての検索、表示も可能である
【００２１】
この場合、図５のステップ１０１の判定基準対象であるカテゴリー、ステップ１０２の検索対象であるカテゴリー、ステップ１０３の判定基準対象であるカテゴリー、ステップ１０５のカテゴリー、ステップ１０８の判定基準対象であるカテゴリー、ステップ１１１の判定基準対象であるカテゴリーをそれぞれアーティスト名にすることで現在視聴しているチャンネルで放送されている曲のアーティストと同じアーティストの曲を放送しているチャンネルを検索して表示することも可能になる
【００２２】
又、上記実施例では現在視聴中のチャンネルと同じような内容の放送として、現在視聴中のチャンネルと同じカテゴリーや同じアーティスト名の放送を検索して表示したが、図３に示したようなデジタル放送のデータ構成に含まれる番組付加情報中の複数の情報、例えば、カテゴリーとアーティスト名というように、複数の付加情報が同じである放送を検索することも可能である
　
　ここで、「図１に示した表示部１１中の現在視聴しているチャンネルの情報を表示する領域ＮＣＩ」（段落【００１４】）について、図１を参照すると、領域ＮＣＩには、
「Ｓｏｎｇ　　　　　｜ラッキープール
　Ａｒｔｉｓｔ　　　｜ＪＵＤＹ　ＡＮＤ　ＭＡＲＹ
　Ｃａｔｅｇｏｒｙ　｜ＰＯＰＳ　　　　　　　　　」
との事項が記載されている。
　また、「付加情報のうち少なくとも一つの情報が同一な他のチャンネルを検索」（段落【０００４】）、「１つのチャンネルは、音楽番組であれば音楽データと番組付加情報とからなり、番組付加情報には、番組の名前を示す番組名、現在放送中の番組の種別や現在放送中の曲の種別を示すカテゴリー、現在放送されている曲の名前を示すソングタイトル、現在放送されている曲の演奏者を示すアーティスト名、現在放送されている曲が収録されているアルバムを示すアルバム名、その他の番組に関する情報を示すコメント等のデータが含まれている」（段落【００１２】）及び図１からすれば、「現在視聴しているチャンネルの情報」及び「同じカテゴリーのチャンネル」（段落【００１４】）は、具体的には、それぞれ、「現在視聴しているチャンネルで放送されている曲の情報」及び「同じカテゴリーの曲を放送しているチャンネル」を意味すると解される。
　
　上記摘示事項を、図面とともに総合整理すると、引用例２には次の発明（以下、「引用発明２」という。）が記載されているものと認める。
「表示部中の現在視聴しているチャンネルで放送されている曲の情報であるＳｏｎｇ、Ａｒｔｉｓｔ、及び、Ｃａｔｅｇｏｒｙを表示する領域ＮＣＩ中にあるＣａｔｅｇｏｒｙ及び／又はＡｒｔｉｓｔが選択されたか否かを判定し、Ｃａｔｅｇｏｒｙ及び／又はＡｒｔｉｓｔが選択された場合は、検索部が現在視聴しているチャンネルで放送されている曲と同じカテゴリー及び／又はアーティスト名の曲を放送しているチャンネルを検索する
デジタル放送受信機。」
　
３．対比
（１）引用発明１の「トラック」は、「トラックは音楽トラックであり」からみて、本願補正発明の「楽曲」を備えている。
　
（２）引用発明１の「トラック再生装置を備えたシステム」は、本願補正発明の「再生装置」に相当する。
　
（３）引用発明１の「トラックをユーザに対して再生するトラック再生装置を備えたシステム」は、「トラック（“track
s
　
（４）引用発明１の「現在のアルバムの名前、現在のトラックのタイトル、アーチストの名前、ジャンル」は、「アルバムの名前」、「トラックのタイトル」、「アーチストの名前」、及び、「ジャンル」の各々がカテゴリー毎の情報といえるから、本願補正発明の「カテゴリー分けされた情報」に相当する。
　
（５）引用発明１の「記憶されたトラックから再生中である場合、現在のアルバムの名前、現在のトラックのタイトル、アーチストの名前、ジャンルを表示する表示部」は、本願補正発明の「再生中に、再生中の楽曲に関するカテゴリー分けされた情報を表示する表示手段」に相当する。
　
（６）引用発明１の「検索ボタンを押すことによって検索を実行でき、検索結果を表示する再生リストを設定し、再生リストボタンが押される」は、本願補正発明の「楽曲の選択が可能な選曲手段」に相当する。
　
（７）引用発明１の「再生リスト内のトラックを再生する」は、「検索結果を表示する再生リスト」からすれば、本願補正発明の「前記選曲手段により選択された楽曲を再生」「する再生手段」に相当する。
　
（８）引用発明１の「検索ボタンを押すことによって検索を実行でき」における「検索」は、検索モードによる検索を指すと解される。
　ここで、引用発明１の「検索モードは、
現在再生中
　すると、引用発明１の「検索ボタンを押すことによって検索を実行でき、検索結果を表示する再生リストを設定し、再生リストボタンが押されると、再生リスト内のトラックを再生する」は、本願補正発明の「前記」「再生中に」「前記選曲手段による楽曲の選択が行われた場合は」「前記選曲手段により選択された楽曲を再生」「する再生手段」に相当する。
　
　したがって、本願補正発明と引用発明１との＜一致点＞及び＜相違点＞は、次のとおりである。
　
＜一致点＞
「楽曲を再生可能な再生装置であって、
　再生中に、再生中の楽曲に関するカテゴリー分けされた情報を表示する表示手段と、
　楽曲の選択が可能な選曲手段と、
　前記再生中に、前記選曲手段による楽曲の選択が行われた場合は、前記選曲手段により選択された楽曲を再生する再生手段とを備えている再生装置。」
　
＜相違点＞
（相違点１）
　本願補正発明の再生装置は、楽曲を「ランダムに」選択して再生可能な再生装置であって、前記「ランダム」については、「楽曲１曲すべてではなく、その一部分だけを再生するランダム再生」と特定されているのに対し、引用発明１には、このようなランダム再生について特定がない点。
　
（相違点２）
　本願補正発明の再生装置は、「該表示手段により表示された情報を選択可能な選択手段」を備え、選曲手段は、「該選択手段により選択された情報を選択条件として」楽曲の選択が可能であるのに対し、引用発明１は、上記のような選択手段と、同手段に基づく楽曲の選択について特定がない点。
　
（相違点３）
　本願補正発明の再生手段は、
「前記ランダム再生中に、前記選択手段による情報の選択が行われ、前記選択手段により選択された情報を選択条件として、前記選曲手段による楽曲の選択が行われた場合は、前記ランダム再生を終了して、前記選曲手段により選択された楽曲を再生し、
　前記ランダム再生中に、前記選択手段による情報の選択が行われない場合は、前記ランダム再生を継続する」
と特定されるのに対し、引用発明１には、選択手段による選択と、ランダム再生の終了、継続との関連について特定がない点。
　
４．判断 
 　上記相違点について検討する。 
（１）相違点１について
　「楽曲１曲すべてではなく、その一部分だけを再生するランダム再生」可能な装置は、実願平１−１４１５９５号（実開平３−８０５８８号）のマイクロフィルム、特開平９−５０６８７号公報の段落【００２７】、特開２００４−１３９８２号公報の段落【０００８】にて周知であり、このようなランダム再生は、曲を素早く探すために利用されるものである（実願平１−１４１５９５号（実開平３−８０５８８号）のマイクロフィルムの明細書第８頁第２０行目〜第９頁第１行目参照）。
　してみれば、引用発明１においても、検索に用いるトラック（「現在再生中のトラック」）を素早く探すために、検索の際の再生として、前記周知のランダム再生を採用することは、当業者が容易に想到し得ることである。
　
（２）相違点２について 
　引用例２の図１には、「Ｃａｔｅｇｏｒｙ」に対応して「ＰＯＰＳ」が記載されていること、及び、引用例１のFigure 26には、“Genre”に対応して
“Pop”が記載されていることからみて、引用発明２の「カテゴリー」は、引用発明１の「ジャンル」に相当する。
　すると、引用発明１と、引用発明２とは、現在視聴している曲のアーチストの名前及びジャンルを表示する点、及び、現在視聴している曲と同じアーチスト又は同じジャンルの曲を検索できる点で共通する。
　してみれば、引用発明１における検索に、引用発明２の、現在視聴している曲について表示されているＣａｔｅｇｏｒｙ及び／又はＡｒｔｉｓｔを選択することによって、現在視聴している曲と同じカテゴリー及び／又はアーティスト名の曲を検索する点を採用し、表示部によって表示されるアーチストの名前及び／又はジャンルを選択する（本願補正発明の「該表示手段により表示された情報を選択可能な選択手段」に相当。）ことによって、現在再生中のトラックと同じアーチストによる、又は同じジャンルの類似のトラックを選択できる（本願補正発明の「該選択手段により選択された情報を選択条件として（楽曲の選択が可能）」に相当。）ようにすることは、当業者が容易に想到し得ることである。
　
（３）相違点３について
　引用発明１において、相違点１について検討したように、検索の際の再生として「楽曲１曲すべてではなく、その一部分だけを再生するランダム再生」を採用し、相違点２について検討したように「表示部によって表示されるアーチストの名前及び／又はジャンルを選択することによって、現在再生中のトラックと同じアーチストによる、又は同じジャンルの類似のトラックを選択できる」ようにした場合、検索を実行することは、本願補正発明の「前記ランダム再生中に、前記選択手段による情報の選択が行われ、前記選択手段により選択された情報を選択条件として、（前記選曲手段による楽曲の選択が行われ）」と等しくなる。
　また、上記の場合、検索後の再生である「再生リスト内のトラックを再生する」のためにランダム再生を終了する（本願補正発明の「（前記選曲手段による楽曲の選択が行われた場合は、）前記ランダム再生を終了して」に相当する。）ことは当然である。
　さらに、上記の場合、ランダム再生は、検索に用いるトラックを素早く探すために設けたものであるから、現在再生中のトラックに基づく検索が行われない場合は、（現在再生中のトラックに基づく検索が行われるまで、）ランダム再生を継続する（本願補正発明の「前記ランダム再生中に、前記選択手段による情報の選択が行われない場合は、前記ランダム再生を継続する」に相当する。）のも当然の動作にすぎない。
　
（４）効果について 
 　本願補正発明の効果は、引用発明１，２及び周知技術から当業者が予測可能なものであって、格別なものとはいえない。
　
（５）本願補正発明の容易想到性についてのむすび 
 　したがって、本願補正発明は、引用例１，２に記載された発明及び周知技術に基づいて当業者が容易に発明をすることができたものであるから、特許法第２９条第２項の規定により特許出願の際独立して特許を受けることができないものである。 
　
５．むすび 
 　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において準用する同法第５３条第１項の規定により却下すべきものである。 
　
第３　本願発明 
１．本願発明 
　平成２０年６月１１日付けの手続補正は上記のとおり却下されたので、本願の請求項１に係る発明は、平成２０年３月３１日付けの手続補正書により補正された特許請求の範囲の請求項１に記載された事項によって特定されるとおりのものであるところ、請求項１に係る発明(以下「本願発明」という。)は、上記「第２［理由］　１．本件補正　（ａ）」に本件補正前の請求項１として記載したとおりである。 
　
２．引用例及びその記載 
　原査定の拒絶の理由に引用された引用例の記載事項は、前記「第２［理由］　２．引用例」に記載したとおりである。 
 　 
３．対比・判断 
　本願発明は、上記「第２［理由］ １．本件補正」で検討した本願補正発明から、「楽曲１曲すべてではなく、その一部分だけを再生するランダム再生中に、再生中の楽曲」を「ランダム再生中の楽曲」と、「該選択手段により選択された情報を選択条件として楽曲の選択が可能な選曲手段」を「該選択手段により選択された情報に基づいて、楽曲の選択が可能な選曲手段」と、「前記ランダム再生中に、前記選択手段による情報の選択が行われ、前記選択手段により選択された情報を選択条件として、前記選曲手段による楽曲の選択が行われた場合は、前記ランダム再生を終了して、前記選曲手段により選択された楽曲を再生し、」を「該選曲手段により選曲された楽曲を再生可能な」と、「前記ランダム再生中に、前記選択手段による情報の選択が行われない場合は、前記ランダム再生を継続する」を「前記選択手段によって情報が選択されない場合、ランダム再生を継続する」と、それぞれ限定を解除し、「前記選択手段による情報の選択が行われない場合は、前記ランダム再生を継続する再生手段とを備えている」を
「再生手段とを備え、
　該再生手段は、前記選択手段によって情報が選択されない場合、ランダム再生を継続するものである」
という等価な表現に置換したものに相当する。 
 　そうすると、本願発明の特定事項をすべて含み、さらに他の特定事項を付加したものに相当する本願補正発明が、前記「第２[理由] ４．当審の判断」に記載したとおり、引用例１，２に記載された発明及び周知技術に基づいて、当業者が容易に発明をすることができたものであるから、本願発明も同様の理由により、引用例１，２に記載された発明及び周知技術に基づいて、当業者が容易に発明をすることができたものである。 
 　 
 ４．むすび 
 　以上のとおりであるから、本願の請求項１に係る発明は、特許法第２９条第２項の規定により特許を受けることができないものである。 
 　したがって、本願は、その余の請求項について論及するまでもなく、拒絶すべきものである。 
 　 
 　よって、結論のとおり審決する。